(57)【特許請求の範囲】
【請求項１】
各々が可撓性材料よりなる第１の構造体と第２の構造体とを互いの端部で連結してなる連結構造体であって、
前記第１の構造体は、
矩形平板状の第１の平板部と、
前記第１の平板部の長手方向に延びる一方端部の全長に屈曲状態に接続された、矩形平板状の第２の平板部と、
前記第１の平板部の長手方向に延びる他方端部の全長に屈曲状態に接続された、矩形平板状の第３の平板部と、
前記第１の平板部と前記第２の平板部との接続部であって、前記端部から所定距離だけ内方に形成された第１のスリットと、
前記第１の平板部と前記第３の平板部との接続部であって、前記端部から前記所定距離だけ内方に形成された第２のスリットとを備え、
前記第２の構造体の長手方向に位置する両端部を除いた部分は、前記第１の構造体の長手方向に位置する両端部を除いた部分と同一の断面形状を有し、
前記第２の構造体の長手方向に位置する前記端部は、前記第１の構造体の長手方向に位置する前記端部と同一の断面形状を有する、連結構造体。
【請求項２】
前記第１の構造体の長手方向に位置する他方端部は、前記第１の構造体の長手方向に位置する前記端部と同一の断面形状を有し、
前記第２の構造体の長手方向に位置する他方端部は、前記第１の構造体の長手方向に位置する前記端部と同一の断面形状を有する、請求項１記載の連結構造体。
【請求項３】
前記第２の平板部と前記第３の平板部とは、前記第１の平板部の一方面側に位置する、請求項１又は請求項２記載の連結構造体。
【請求項４】
前記第１の構造体は、
前記第３の平板部の長手方向に延びる他方端部の全長に屈曲状態に接続された、矩形平板状の第４の平板部と、
前記第３の平板部と前記第４の平板部との接続部であって、前記端部から前記所定距離だけ内方に形成された第３のスリットとを更に備える、請求項３記載の連結構造体。
【請求項５】
前記連結構造体は、鋼板をプレス成型して形成され、
前記第３の平板部において、前記第２のスリットと前記第３のスリットとの間の部分が切り欠かれた切欠き部分が形成され、前記切欠き部分から内方に所定間隔で配置された通気孔が形成され、
前記第２の構造体において、前記切欠き部分及び前記通気孔と同様の切欠き部分及び通気孔が形成される、請求項４記載の連結構造体。
【発明の詳細な説明】
【技術分野】
【０００１】
この発明は連結構造体に関し、特に、家屋における軒先部分に取り付けられる連結構造体に関するものである。
【背景技術】
【０００２】
図２５は従来の破風・鼻隠し及び軒天井の施工方法を説明するための、家屋の軒先周辺の外観形状を概略的に示す断面図である。
【０００３】
図を参照して、従来の破風・鼻隠し及び軒天井の施工方法では、縦胴縁８１から突出して取り付けられた複数本の野縁８２に窯業系の軒天井ボード８４を釘８５で留め付けて固定するとともに、軒天井ボード８４の外端を窯業系の破風板８６の下方部分に予め形成した凹部８７に差し込んだ状態で、破風板８６をトラス８８と軒先側の野縁８３とに釘８５により留め付ける手段が採られている。
【先行技術文献】
【特許文献】
【０００４】
【特許文献１】特開２００８−９５４２９号公報
【発明の概要】
【発明が解決しようとする課題】
【０００５】
しかしながら上述の従来の施工方法では、軒天板ボード８４と破風板８６とはそれぞれ別体であるため、取付けの際に手間がかかる虞がある。そこで軒天板ボード８４と破風板８６とを一体化して取付けを簡略化することが考えられる。しかしながら、軒天板ボード８４及び破風板８６はそれぞれ窯業系の材料から形成されているため、これらが一体化した部材を形成するのは困難になる虞がある。又、これら部材の連結は突合せとなるため、連結部分の信頼度が低くなる虞がある。
【０００６】
この発明は上記のような課題を解決するためになされたもので、軒天井及び破風板が一体化したような部材の形成を可能とし、取付けが簡単でかつ連結状態の信頼性が高い連結構造体を提供することを目的とする。
【課題を解決するための手段】
【０００７】
上記の目的を達成するために、請求項１記載の発明は、各々が可撓性材料よりなる第１の構造体と第２の構造体とを互いの端部で連結してなる連結構造体であって、第１の構造体は、矩形平板状の第１の平板部と、第１の平板部の長手方向に延びる一方端部の全長に屈曲状態に接続された、矩形平板状の第２の平板部と、第１の平板部の長手方向に延びる他方端部の全長に屈曲状態に接続された、矩形平板状の第３の平板部と、第１の平板部と第２の平板部との接続部であって、端部から所定距離だけ内方に形成された第１のスリットと、第１の平板部と第３の平板部との接続部であって、端部から所定距離だけ内方に形成された第２のスリットとを備え、第２の構造体の長手方向に位置する両端部を除いた部分は、第１の構造体の長手方向に位置する両端部を除いた部分と同一の断面形状を有し、第２の構造体の長手方向に位置する端部は、第１の構造体の長手方向に位置する端部と同一の断面形状を有するものである。
【０００８】
このように構成すると、第１の構造体の端部であって、第１のスリット及び第２のスリット周りの部分が屈曲自在となる。又、連結時にスリット同士が嵌合する。
【０００９】
請求項２記載の発明は、請求項１記載の発明の構成において、第１の構造体の長手方向に位置する他方端部は、第１の構造体の長手方向に位置する端部と同一の断面形状を有し、第２の構造体の長手方向に位置する他方端部は、第１の構造体の長手方向に位置する端部と同一の断面形状を有するものである。
【００１０】
このように構成すると、他方端部においても連結時にスリット同士が嵌合可能となる。
【００１１】
請求項３記載の発明は、請求項１又は請求項２記載の発明の構成において、第２の平板部と第３の平板部とは、第１の平板部の一方面側に位置するものである。
【００１２】
このように構成すると、各々の構造体の曲げ剛性が向上する。
【００１３】
請求項４記載の発明は、請求項３記載の発明の構成において、第１の構造体は、第３の平板部の長手方向に延びる他方端部の全長に屈曲状態に接続された、矩形平板状の第４の平板部と、第３の平板部と第４の平板部との接続部であって、端部から所定距離だけ内方に形成された第３のスリットとを更に備えるものである。
【００１４】
このように構成すると、各々の構造体の曲げ剛性が更に向上する。
【００１５】
請求項５記載の発明は、請求項４記載の発明の構成において、連結構造体は、鋼板をプレス成型して形成され、第３の平板部において、第２のスリットと第３のスリットとの間の部分が切り欠かれた切欠き部分が形成され、切欠き部分から内方に所定間隔で配置された通気孔が形成され、第２の構造体において、切欠き部分及び通気孔と同様の切欠き部分及び通気孔が形成されるものである。
【００１６】
このように構成すると、連結時に第１の構造体の通気孔と第２の構造体の通気孔とが重なり合うことなく連続する。
【発明の効果】
【００１７】
以上説明したように、請求項１記載の発明は、第１の構造体の端部であって、第１のスリット及び第２のスリット周りの部分が屈曲自在となるため、連結時に第２の構造体の第１の構造体の第１のスリット及び第２のスリットへの差込みが容易となる。又、連結時にスリット同士が嵌合するため、連結部分が増加し、連結状態がより安定する。
【００１８】
請求項２記載の発明は、請求項１記載の発明の効果に加えて、他方端部においても、連結時にスリット同士が嵌合可能となるため、連結部分が増加し、連結状態がより安定する。
【００１９】
請求項３記載の発明は、請求項１又は請求項２記載の発明の効果に加えて、各々の構造体の曲げ剛性が向上するため、連結状態がより安定する。
【００２０】
請求項４記載の発明は、請求項３記載の発明の効果に加えて、各々の構造体の曲げ剛性が更に向上するため、連結状態が更に安定する。
【００２１】
請求項５記載の発明は、請求項４記載の発明の効果に加えて、連結時に第１の構造体の通気孔と第２の構造体の通気孔とが重なり合うことなく連続するため、連結後に通気孔の通気機能を損なわない。
【図面の簡単な説明】
【００２２】
【図１】この発明の実施の形態に係る第１の構造体を正面側から見たときの外観形状を概略的に示す斜視図である。
【図２】図１で示した第１の構造体を背面側から見たときの外観形状を概略的に示す斜視図である。
【図３】図１で示した第１の構造体の外観形状を概略的に示す正面図である。
【図４】図１で示した第１の構造体の外観形状を概略的に示す背面図である。
【図５】図１で示した第１の構造体の外観形状を概略的に示す平面図である。
【図６】図１で示した第１の構造体の外観形状を概略的に示す底面図である。
【図７】図１で示した第１の構造体の外観形状を概略的に示す右側面図である。
【図８】図３で示したＶＩＩＩ−ＶＩＩＩラインの拡大端面図である。
【図９】図３で示したＩＸ−ＩＸラインの拡大端面図である。
【図１０】この発明の実施の形態に係る第１の構造体と第２の構造体とを互いの端部で連結する前の、第１の構造体及び第２の構造体それぞれを正面側から見たときの外観形状を概略的に示す斜視図である。
【図１１】図１０に対応した図であって、第１の構造体及び第２の構造体それぞれを背面側から見たときの外観形状を概略的に示す斜視図である。
【図１２】図１０に対応した図であって、第１の構造体と第２の構造体とを連結後の連結構造体を正面側から見たときの外観形状を概略的に示す斜視図である。
【図１３】図１１に対応した図であって、第１の構造体と第２の構造体とを連結後の連結構造体を背面側から見たときの外観形状を概略的に示す斜視図である。
【図１４】図１２に対応した図であって、連結構造体の外観形状を概略的に示す正面図である。
【図１５】図１２に対応した図であって、連結構造体の外観形状を概略的に示す平面図である。
【図１６】図１４で示したＸＶＩ−ＸＶＩラインの拡大端面図である。
【図１７】図１４で示したＸＶＩＩ−ＸＶＩＩラインの拡大端面図である。
【図１８】図１５で示したＸＶＩＩＩ−ＸＶＩＩＩラインの断面図である。
【図１９】この発明の実施の形態に係る連結構造体を家屋の軒先部分に取り付ける工程を説明するための軒先部分周辺の外観形状を概略的に示す斜視図である。
【図２０】図１９で示したＸＸ−ＸＸラインの端面図である。
【図２１】図１９で示した工程に続く連結構造体を家屋の軒先部分に取り付ける工程を説明するための軒先部分周辺の外観形状を概略的に示す他の斜視図である。
【図２２】図２１で示したＸＸＩＩ−ＸＸＩＩラインの端面図である。
【図２３】図２１で示した工程に続く連結構造体を家屋の軒先部分に取り付ける工程を説明するための軒先部分周辺の外観形状を概略的に示す更に他の斜視図である。
【図２４】図２３で示したＸＸＩＶ−ＸＸＩＶラインの端面図である。
【図２５】従来の破風・鼻隠し及び軒天井の施工方法を説明するための、家屋の軒先周辺の外観形状を概略的に示す断面図である。
【発明を実施するための形態】
【００２３】
図１はこの発明の実施の形態に係る第１の構造体を正面側から見たときの外観形状を概略的に示す斜視図であり、図２は図１で示した第１の構造体を背面側から見たときの外観形状を概略的に示す斜視図であり、図３は図１で示した第１の構造体の外観形状を概略的に示す正面図であり、図４は図１で示した第１の構造体の外観形状を概略的に示す背面図であり、図５は図１で示した第１の構造体の外観形状を概略的に示す平面図であり、図６は図１で示した第１の構造体の外観形状を概略的に示す底面図であり、図７は図１で示した第１の構造体の外観形状を概略的に示す右側面図であり、図８は図３で示したＶＩＩＩ−ＶＩＩＩラインの拡大端面図であり、図９は図３で示したＩＸ−ＩＸラインの拡大端面図である。
【００２４】
これらの図を参照して、連結構造体（図示せず）は、第１の構造体１１と第２の構造体（図示せず）とを互いの端部で連結してなるものである。尚、本実施の形態において、第２の連結構造体は第１の連結構造体１１と同一形状を有することから、以下では第１の構造体１１を中心に説明する。
【００２５】
第１の構造体１１は、鋼板をプレス成型して形成されており、矩形平板状の第１の平板部１３と、第１の平板部１３の長手方向に延びる一方端部の全長に屈曲状態に接続された、矩形平板状の第２の平板部１４と、第１の平板部１３の長手方向に延びる他方端部の全長に屈曲状態に接続された、矩形平板状の第３の平板部１５と、第３の平板部１５の長手方向に延びる他方端部の全長に屈曲状態に接続された、矩形平板状の第４の平板部１６とを中心として構成されている。
【００２６】
第２の平板部１４の他方端部には、第５の平板部１７が屈曲状態に接続され、第２の平板部１４の内方には、後述するように第１の構造体１１を軒先部分に釘で取り付けるための穴１９が形成されている。一方、第４の平板部１６の他方端部には、第６の平板部１８が垂直状態に接続されている。
【００２７】
第１の平板部１３と第２の平板部１４との接続部には、第１の平板部１３及び第２の平板部１４各々の端部から所定距離だけ内方に第１のスリット２０が形成されている。又、第１の平板部１３と第３の平板部１５との接続部には、第１の平板部１３及び第３の平板部１５各々の端部から所定距離だけ内方に第２のスリット２１が形成されている。更に、第３の平板部１５と第４の平板部１６との接続部には、第３の平板部１５及び第４の平板部１６各々の端部から所定距離だけ内方に第３のスリット２２が形成されている。
【００２８】
第３の平板部１５においては、第２のスリット２１と第３のスリット２２との間の部分が切り欠かれることで切欠き部分２４が形成されている。そして切欠き部分２４から内方には、所定間隔で配置された複数の通気孔２５が形成されている。
【００２９】
又、第１の構造体１１の他方端部において、第１の平板部１３と第２の平板部１４との接続部には、第１の平板部１３及び第２の平板部１４各々の端部から所定距離だけ内方に第１のスリット４０が形成されている。又、第１の平板部１３と第３の平板部１５との接続部には、第１の平板部１３及び第３の平板部１５各々の端部から所定距離だけ内方に第２のスリット４１が形成されている。更に、第３の平板部１５と第４の平板部１６との接続部には、第３の平板部１５及び第４の平板部１６各々の端部から所定距離だけ内方に第３のスリット４２が形成されている。そして第３の平板部１５においては、第２のスリット４１と第３のスリット４２との間の部分が切り欠かれることで切欠き部分４４が形成されている。
【００３０】
次に、第１の構造体と第２の構造体とを互いの端部で連結して連結構造体とする方法について説明する。
【００３１】
図１０はこの発明の実施の形態に係る第１の構造体と第２の構造体とを互いの端部で連結する前の、第１の構造体及び第２の構造体それぞれを正面側から見たときの外観形状を概略的に示す斜視図であり、図１１は図１０に対応した図であって、第１の構造体及び第２の構造体それぞれを背面側から見たときの外観形状を概略的に示す斜視図であり、図１２は図１０に対応した図であって、第１の構造体と第２の構造体とを連結後の連結構造体を正面側から見たときの外観形状を概略的に示す斜視図であり、図１３は図１１に対応した図であって、第１の構造体と第２の構造体とを連結後の連結構造体を背面側から見たときの外観形状を概略的に示す斜視図であり、図１４は図１２に対応した図であって、連結構造体の外観形状を概略的に示す正面図であり、図１５は図１２に対応した図であって、連結構造体の外観形状を概略的に示す平面図であり、図１６は図１４で示したＸＶＩ−ＸＶＩラインの拡大端面図であり、図１７は図１４で示したＸＶＩＩ−ＸＶＩＩラインの拡大端面図であり、図１８は図１５で示したＸＶＩＩＩ−ＸＶＩＩＩラインの断面図である。
【００３２】
これらの図を参照して、第１の構造体１１の第１のスリット２０を第２の構造体３１の第１のスリット４０に、第１の構造体１１の第２のスリット２１を第２の構造体３１の第２のスリット４１に、第１の構造体１１の第３のスリット２２を第２の構造体３１の第３のスリット４２にそれぞれ差し込む。そして、第１の平板部１３、第２の平板部１４及び第３の平板部１６のそれぞれにおいて、第１の構造体１１と第２の構造体３１との重なり順が交互になるようにしてスリットの所定距離まで差し込むと、第１の構造体１１と第２の構造体３１とが連結されてなる連結構造体４７が完成する。
【００３３】
本実施の形態によれば、第１の構造体１１の端部であって、第１のスリット２０及び第２のスリット２１各々の周りの部分と、第２の構造体３１であって、第１のスリット４０及び第２のスリット４１各々の周りの部分とは１辺のみ拘束された平板のためそれぞれ屈曲自在となっている。そのため、連結時に第２の構造体３１の第１のスリット４０及び第２のスリット４１のそれぞれに対して、第１の構造体１１の第１のスリット２０及び第２のスリット２１のそれぞれを容易に差込むことができる。
【００３４】
又、第２の構造体３１は第１の構造体１１と同一形状であるため、第２の構造体３１は第１の構造体１１と同一の断面形状を有している。したがって、第１の構造体１１と第２の構造体３１との連結時には、第１の構造体１１の第１〜第３のスリット２０〜２２の各々と、それに対応する第２の構造体３１の第１〜第３のスリット４０〜４２の各々とが嵌合する。これにより、第１の構造体１１と第２の構造体３１との連結部分が増加するので、連結構造体４７において連結状態が安定する。
【００３５】
更に、第１の構造体１１及び第２の構造体３１の各々において、第２の平板部１４と、第３の平板部１５とは、それぞれ第１の平板部１３の一方面側に位置している。そのため、第１の平板部１３に対する第２の平板部１４と第３の平板部１５との位置がそれぞれ反対面側であるときと比べて、第１の構造体１１及び第２の構造体３１各々の曲げ剛性が向上し、連結構造体４７における連結状態がより安定する。
【００３６】
更に、図１８に示したように、第１の構造体１１と第２の構造体３１との連結時には、第１の構造体１１の通気孔２５と第２の構造体３１の通気孔２５とは重なり合うことなく連続する。尚、これによる効果については後述する。
【００３７】
最後に、本実施の形態に係る連結構造体を家屋の軒先部分に取り付ける工程について説明する。
【００３８】
図１９はこの発明の実施の形態に係る連結構造体を家屋の軒先部分に取り付ける工程を説明するための軒先部分周辺の外観形状を概略的に示す斜視図であり、図２０は図１９で示したＸＸ−ＸＸラインの端面図であり、図２１は図１９で示した工程に続く連結構造体を家屋の軒先部分に取り付ける工程を説明するための軒先部分周辺の外観形状を概略的に示す他の斜視図であり、図２２は図２１で示したＸＸＩＩ−ＸＸＩＩラインの端面図であり、図２３は図２１で示した工程に続く連結構造体を家屋の軒先部分に取り付ける工程を説明するための軒先部分周辺の更に他の斜視図であり、図２４は図２３で示したＸＸＩＶ−ＸＸＩＶラインの端面図である。
【００３９】
初めに図１９〜図２２を参照して、屋根材５３と下地材５４とからなる軒先部分に第１の構造体１１を釘５６で留める。次に、図２３及び図２４を参照して、第１の構造体１１の端部を第２の構造体３１の端部を連結させた後、第２の構造体３１を釘（図示せず）で留めると連結構造体４７の取付けが完了する。
【００４０】
本実施の形態に係る連結構造体４７によれば、上述したように、連結時に第１の構造体１１の通気孔２５（図１８参照）と第２の構造体３１の通気孔４５（図１８参照）とが重なり合うことなく連続する。そのため、第１の構造体１１と第２の構造体３１とを連結してなる連結構造体４７においても、通気孔２５の通気機能が損なわれることはない。
【００４１】
又、連結構造体４７においては、第１の構造体１１及び第２の構造体３１各々の第２の平板部１４は破風板として機能する。一方で、第１の構造体１１及び第２の構造体３１各々の第１の平板部１３は軒天板として機能する。このように、連結構造体４７は、破風板と軒天板とが一体化した部材として使用することができる。そのため、連結構造体４７を用いることで、軒先部分への破風板と軒天井との取付けを簡略化することができる。
【００４２】
尚、上記の実施の形態では、第１の構造体及び第２の構造体はそれぞれ特定の平板部及びスリットを有しているが、第１の構造体は、少なくとも第１〜第３の平板部と、第１のスリット及び第２のスリットとを備えていればよい。
【００４３】
又、上記の実施の形態では、各々のスリットはそれぞれ端部から所定距離だけ内方に形成されているが、各々のスリットの距離は、差込みができる程度であればよい。
【００４４】
更に、上記の実施の形態では、第２の構造体は、端部も含み第１の構造体と同一の断面形状を有しているが、第２の構造体は、少なくとも第１の構造体の端部を除いた部分（スリットが形成されていない部分）と同一の断面形状を有していればよい。この場合、更に、構造体がすべて、一方端部にスリットが形成され、他方端部にスリットが形成されていないものであっても連結することができる。
【００４５】
更に、上記の実施の形態では、第１の構造体及び第２の構造体はそれぞれ特定の材料から構成されているが、可撓性材料から構成されていれば他の材料でもよい。
【００４６】
更に、上記の実施の形態では、第１の構造体及び第２の構造体それぞれに切欠き部分が形成されているが、切欠き部分のない構成としてもよい。又、第１の構造体又は第２の構造体のいずれかに切欠き部が形成された構成としてもよい。尚、上記の実施の形態では、切欠き部分は大きな意味で一対のスリットとその間の部分が切り欠かれた構成と考えられる。
【００４７】
更に、上記の実施の形態では、第２及び第３の平板部は、第１の平板部の一方面側に位置しているが、これらの平板部は第１の平板部の双方面側の各々に位置してもよい。
【００４８】
更に、上記の実施の形態では、第１の構造体及び第２の構造体の各々に通気孔を形成することで、換気機能を有する換気部材を含む連結構造体としているが、連結構造体は、換気部材を含まない他の用途の部材としてもよい。
【００４９】
更に、上記の実施の形態では、第１の構造体及び第２の構造体のそれぞれに通気孔が形成されているが、通気孔のない構成としてもよい。又、第１の構造体又は第２の構造体のいずれかに通気孔が形成された構成としてもよい。
【００５０】
更に、上記の実施の形態では、通気孔は特定形状であり特定数設けられているが、これらを他の形状や数に設定してもよい。
【００５１】
更に、上記の実施の形態では、連結構造体は２つの構造体を連結してなるものであるが、３つ以上の複数の構造体を連結してなるものとしてもよい。
【００５２】
更に、上記の実施の形態では、第１の平板部と第２の平板部との接続部分の形成方向を長手方向としているが、長手方向を他の方向としてもよい。
【符号の説明】
【００５３】
１１…第１の構造体
１３…第１の平板部
１４…第２の平板部
１５…第３の平板部
１６…第４の平板部
２０…第１のスリット
２１…第２のスリット
２２…第３のスリット
２４…切欠き部分
２５…通気孔
３１…第２の構造体
４０…第１のスリット
４１…第２のスリット
４２…第３のスリット
４４…切欠き部分
４７…連結構造体
尚、各図中同一符号は同一又は相当部分を示す。
【要約】
【課題】  破風板と軒天井とが一体化した部材として使用できる連結構造体を提供する。
【解決手段】  連結構造体は、第１の構造体１１と第２の構造体３１とを連結してなる。第１の構造体１１は、第１の平板部１３、第２の平板部１４、第３の平板部１５及び第４の平板部１６を中心として構成されている。第１の平板部１３と第２の平板部１４との接続部には第１のスリット２０が、第１の平板部１３と第３の平板部１５との接続部には第２のスリット２１が、第３の平板部１５と第４の平板部１６との接続部には第３のスリット２２がそれぞれ形成されている。尚、第２の構造体３１は第１の構造体１１と同一形状を有する。第１の構造体１１の第１〜第３のスリット２０〜２３を、第２の構造体３１の第１〜第３のスリット４０〜４２に差し込むと、連結構造体が完成する。
【選択図】      図１０【図１】
0005828150.tif 000002
【図２】
0005828150.tif 000003
【図３】
0005828150.tif 000004
【図４】
0005828150.tif 000005
【図５】
0005828150.tif 000006
【図６】
0005828150.tif 000007
【図７】
0005828150.tif 000008
【図８】
0005828150.tif 000009
【図９】
0005828150.tif 000010
【図１０】
0005828150.tif 000011
【図１１】
0005828150.tif 000012
【図１２】
0005828150.tif 000013
【図１３】
0005828150.tif 000014
【図１４】
0005828150.tif 000015
【図１５】
0005828150.tif 000016
【図１６】
0005828150.tif 000017
【図１７】
0005828150.tif 000018
【図１８】
0005828150.tif 000019
【図１９】
0005828150.tif 000020
【図２０】
0005828150.tif 000021
【図２１】
0005828150.tif 000022
【図２２】
0005828150.tif 000023
【図２３】
0005828150.tif 000024
【図２４】
0005828150.tif 000025
【図２５】
0005828150.tif 000026